(57)【要約】【課題】減圧用空間の中心軸、昇圧用空間の中心軸、弁部材の中心軸それぞれを同軸となるように構成可能なエジェクタを提供する。【解決手段】減圧用空間２２０ｂを形成するノズル形成部２２２と、昇圧用空間２３２を形成するミドルボデー２３０とを、減圧用空間２２０ｂの中心軸と昇圧用空間２３２の中心軸とが同軸となるように位置決めした状態で、第１締結部材２２５により互いに連結する。そして、ミドルボデー２３０と弁部材２４０のシャフト２４２を支持するベースボデー２７とを、昇圧用空間２３２の中心軸と弁部材２４０の中心軸とが同軸となるように位置決めした状態で、第２締結部材２７４により互いに連結する。【選択図】図２
2017053299.tif 000002
【特許請求の範囲】
【請求項１】
蒸気圧縮式の冷凍サイクル（１０）に適用されるエジェクタであって、
冷媒流入口（２１１）から流入した冷媒を減圧させる減圧用空間（２２２）、外部から冷媒を吸引する吸引用通路（２３１ｃ）、および前記減圧用空間から噴射された噴射冷媒と前記吸引用通路から吸引された吸引冷媒とを混合させて昇圧させる昇圧用空間（２３２）が形成されたボデー（２００）と、
少なくとも一部が前記減圧用空間および前記昇圧用空間の内部に配置され、シャフト（２４２）、および前記シャフトを中心とする回転体の形状を有する通路形成部（２４１）を有する弁部材（２４０）と、
前記弁部材を前記シャフトの軸方向に変位させる駆動機構（２５０）と、を備え、
前記ボデーは、
前記減圧用空間を形成する部位であって、前記通路形成部との間に冷媒を減圧させて噴射する円環状のノズル通路（２２４）を形成する第１空間形成部位（２２２）と、
前記昇圧用空間を形成する部位であって、前記第１空間形成部位との間に円環状の前記吸引用通路を形成すると共に、前記通路形成部との間に前記噴射冷媒および前記吸引冷媒とを混合して昇圧させる円環状のディフューザ通路（２３２ａ）を形成する第２空間形成部位（２３０）と、
前記弁部材を前記シャフトの軸方向に摺動可能に支持する弁支持部位（２７０）と、を含んで構成されており、
前記第１空間形成部位、前記第２空間形成部位、および前記弁支持部位は、別部材として構成されており、
前記第１空間形成部位および前記第２空間形成部位は、前記減圧用空間の中心軸（Ｃｓ１）と前記昇圧用空間の中心軸（Ｃｓ２）とが同軸となるように位置決めされた状態で互いに連結されており、
前記第２空間形成部位と前記弁支持部位とは、前記弁支持部位に前記弁部材が支持された状態、且つ、前記昇圧用空間の中心軸と前記弁部材の中心軸（Ｃｓ３）とが同軸となるように位置決めされた状態で互いに連結されていることを特徴とするエジェクタ。
【請求項２】
前記第１空間形成部位、前記第２空間形成部位、前記弁支持部位は、前記シャフトの軸方向に直交する方向において、互いに隙間があいた状態で連結されていることを特徴とする請求項１に記載のエジェクタ。
【請求項３】
前記第２空間形成部位は、少なくとも一部が前記第１空間形成部位よりも熱伝導率の低い材料で構成されていることを特徴とする請求項１または２に記載のエジェクタ。
【請求項４】
蒸気圧縮式の冷凍サイクルに適用され、
冷媒流入口（２１１）から流入した冷媒を減圧させる減圧用空間（２２２）、外部から冷媒を吸引する吸引用通路（２３１ｃ）、および前記減圧用空間から噴射された噴射冷媒と前記吸引用通路から吸引された吸引冷媒とを混合させて昇圧させる昇圧用空間（２３２）が形成されたボデー（２００）と、
少なくとも一部が前記減圧用空間および前記昇圧用空間の内部に配置され、シャフト（２４２）、および前記シャフトを中心とする回転体の形状を有する通路形成部（２４１）を有する弁部材（２４０）と、
前記弁部材を前記シャフトの軸方向に変位させる駆動機構（２５０）と、を備え、
前記ボデーは、
前記減圧用空間を形成する部位であって、前記通路形成部との間に冷媒を減圧させて噴射する円環状のノズル通路（２２４）を形成する第１空間形成部位（２２２）と、
前記昇圧用空間を形成する部位であって、前記第１空間形成部位との間に円環状の前記吸引用通路を形成すると共に、前記通路形成部との間に前記噴射冷媒および前記吸引冷媒とを混合して昇圧させる円環状のディフューザ通路（２３２ａ）を形成する第２空間形成部位（２３０）と、
前記弁部材を前記シャフトの軸方向に摺動可能に支持する弁支持部位（２７０）と、
を含んで構成されるエジェクタの製造方法であって、
前記第１空間形成部位、前記第２空間形成部位、および前記弁支持部位は、別部材として構成されており、
前記第１空間形成部位と前記第２空間形成部位との相対的な位置を、前記減圧用空間の中心軸（Ｃｓ１）と前記昇圧用空間の中心軸（Ｃｓ２）とが同軸となるように位置決めした後、前記第１空間形成部位と前記第２空間形成部位とを連結する第１連結工程と、
前記弁支持部位に前記弁部材を支持すると共に、前記第１連結工程で前記第１空間形成部位に連結した前記第２空間形成部位と前記弁支持部位との相対的な位置を、前記減圧用空間の中心軸、前記昇圧用空間の中心軸、前記弁部材の中心軸（Ｃｓ３）が同軸となるように位置決めした後、前記第２空間形成部位と前記弁支持部位とを連結する第２連結工程と、
を含んでいることを特徴とするエジェクタの製造方法。
【発明の詳細な説明】
【技術分野】
【０００１】
本発明は、流体を減圧すると共に、高速で噴出する作動流体の吸引作用によって流体輸送を行う運動量輸送式ポンプであるエジェクタ、およびその製造方法に関する。
【背景技術】
【０００２】
従来、蒸気圧縮式の冷凍サイクルに適用される減圧装置として、エジェクタが知られている。この種のエジェクタでは、冷媒を減圧させるノズル部から噴射される噴射冷媒の吸引作用によって蒸発器から流出した冷媒を吸引し、昇圧部（ディフューザ部）にて噴射冷媒と吸引冷媒とを混合して昇圧させる構成となっている（例えば、特許文献１参照）。このエジェクタを備える冷凍サイクルでは、エジェクタの昇圧部における冷媒昇圧作用を利用して圧縮機の消費動力を低減させることが可能となる。
【０００３】
ここで、例えば、特許文献２には、体格の大型化を招くことなく、冷凍サイクルの負荷変動によらず高いノズル効率を発揮可能なエジェクタを実現するために、特徴的な構成が提案されている。なお、ノズル効率は、冷媒の圧力エネルギを速度エネルギに変換する際の変換効率である。
【０００４】
具体的には、特許文献２のエジェクタは、ボデー内部に形成された減圧用空間および昇圧用空間に通路形成部材を配置し、当該通路形成部材の外側とボデーの内側との間に環状の冷媒通路（ノズル通路、ディフューザ通路）を形成している。そして、通路形成部材は、減圧用空間から離れるに伴って断面積が拡大する形状となっている。
【０００５】
このような形状の通路形成部材を採用することで、ディフューザ通路の形状を減圧用空間から離れるに伴って通路形成部材の外周に沿って拡がる円環形状とすることができる。この結果、通路形成部材における軸方向の寸法の拡大を抑えて、エジェクタの体格の小型化を図っている。
【０００６】
また、特許文献２のエジェクタは、ノズル通路およびディフューザ通路の絞り開度を調整する調整機構として、各通路を形成する通路形成部材を吸引冷媒の圧力および温度に応じて変位させる駆動機構を備えている。
【０００７】
このような駆動機構を採用することで、冷凍サイクルの負荷変動に応じて通路形成部材を変位させて、ノズル通路およびディフューザ通路の冷媒通路面積を調整することで、冷凍サイクルの負荷に見合ったエジェクタの作動を実現している。
【０００８】
さらに、特許文献２のエジェクタは、外殻を構成するハウジングボデーの内部に、減圧用空間を形成するノズルボデー、吸引冷媒の流通路と昇圧用空間を形成するミドルボデー、通路形成部材を支持する支持部が形成されたロアボデーを収容する構成となっている。
【０００９】
そして、特許文献１のエジェクタは、ハウジングボデーの内部に収容された各ボデーにより環状の冷媒通路が複数形成される構成となっている。すなわち、ハウジングボデーの内部には、ノズルボデーと通路形成部材との間に円環状のノズル通路が形成されると共に、ミドルボデーと通路形成部材との間に円環状のディフューザ通路が形成されている。さらに、ハウジングボデーの内部には、ノズルボデーとミドルボデーとの間に吸引冷媒をディフューザ通路に導く円環状の吸引通路が形成されている。
【先行技術文献】
【特許文献】
【００１０】
【特許文献１】特開２００７−３２９４５号公報
【特許文献２】特開２０１３−１７７８７９号公報
【発明の概要】
【発明が解決しようとする課題】
【００１１】
ところで、特許文献２記載のエジェクタは、通路形成部材である弁部材により吸引冷媒と噴射冷媒との混合部の下流側の冷媒通路が円環形状となる。このため、特許文献２記載のエジェクタは、特許文献１の如く、吸引冷媒と噴射冷媒との混合部の下流側の冷媒通路が円形状となる構成に比べて、弁部材の軸ズレが生じた際の冷媒通路の形状が大きく変化してしまう。
【００１２】
この点について、図１７、図１８を参照して簡単に説明する。図１７は、固定絞り等のように断面円形となる冷媒通路ＲＰ１が形成された構成を示している。また、図１８は、弁部材Ｖｍにより断面が円環状となる冷媒通路ＲＰ２が形成された構成を示している。なお、図１７、図１８に示す各冷媒通路ＲＰ１、ＲＰ２は、冷媒通路面積が同等であり、且つ、図１７に示す冷媒通路ＲＰ１の直径Ｄ１が図１８に示す冷媒通路ＲＰ２の外側直径Ｄ２の半分（Ｄ１＝１／２×Ｄ２）になっているものとする。
【００１３】
この場合、図１８に示す冷媒通路ＲＰ２の通路幅ｈ（＝（Ｄ２−Ｄ３）／２）は、図１７に示す冷媒通路ＲＰ１の直径Ｄ１に比べて、約０．１３５倍の大きさとなる。このため、弁部材の中心軸と各冷媒通路ＲＰ１、ＲＰ２の中心軸が同じ量ずれた場合、図１８に示す冷媒通路ＲＰ２の通路幅ｈは、図１７に示す冷媒通路ＲＰ１の直径Ｄ１に比べて、７．５倍程度の影響を受けることになってしまう。
【００１４】
このように、冷媒通路を円環形状とする構成の場合、弁部材等の軸ずれが生ずると、各冷媒通路の周方向における冷媒通路面積が大きく異なることで、各冷媒通路の周方向における冷媒の流量に偏りが生じてしまう。これにより、各冷媒通路にて膨張不足や過膨張が生じ易くなってしまう。
【００１５】
このことは、圧力エネルギを速度エネルギに変換する効率（ノズル効率に相当）が低下してディフューザ通路にて充分に冷媒を昇圧できなくなる要因となり、エジェクタ全体としての効率（エジェクタ効率）が低下してしまうことから好ましくない。
【００１６】
ところが、特許文献２には、減圧用空間の中心軸、昇圧用空間の中心軸、通路形成部材の中心軸それぞれを同軸となるように配置する旨が開示されているだけで、各中心軸の軸ズレを抑えることについて特に検討されていない。
【００１７】
本発明者らは、特許文献２に記載のエジェクタを実際に試作したところ、減圧用空間の中心軸、昇圧用空間の中心軸、通路形成部材の中心軸それぞれを同軸となるように構成することが困難であることが判った。
【００１８】
この原因について本発明者らが調査した結果、特許文献２のエジェクタでは、ノズル通路等を形成しないハウジングボデーに対して、ノズルボデー等を圧入して連結する構成としており、各空間の中心軸、通路形成部材の中心軸の相対的な位置関係を調整できないことが原因であると判った。すなわち、各冷媒通路を形成する部材以外の部材が、各空間の中心軸、および通路形成部材の中心軸を同軸となるように位置決めする際の制約となってしまうことが原因であることが判った。
【００１９】
本発明は上記点に鑑みて、減圧用空間の中心軸、昇圧用空間の中心軸、弁部材の中心軸それぞれを同軸となるように構成可能なエジェクタを提供することを目的とする。
【課題を解決するための手段】
【００２０】
請求項１に記載の発明は、蒸気圧縮式の冷凍サイクル（１０）に適用されるエジェクタを対象としている。上記目的を達成するため、請求項１に記載の発明では、
冷媒流入口（２１１）から流入した冷媒を減圧させる減圧用空間（２２２）、外部から冷媒を吸引する吸引用通路（２３１ｃ）、および減圧用空間から噴射された噴射冷媒と吸引用通路から吸引された吸引冷媒とを混合させて昇圧させる昇圧用空間（２３２）が形成されたボデー（２００）と、
少なくとも一部が減圧用空間および昇圧用空間の内部に配置され、シャフト（２４２）、およびシャフトを中心とする回転体の形状を有する通路形成部（２４１）を有する弁部材（２４０）と、
弁部材をシャフトの軸方向に変位させる駆動機構（２５０）と、を備え、
ボデーは、
減圧用空間を形成する部位であって、通路形成部との間に冷媒を減圧させて噴射する円環状のノズル通路（２２４）を形成する第１空間形成部位（２２２）と、
昇圧用空間を形成する部位であって、第１空間形成部位との間に円環状の吸引用通路を形成すると共に、通路形成部との間に噴射冷媒および吸引冷媒とを混合して昇圧させる円環状のディフューザ通路（２３２ａ）を形成する第２空間形成部位（２３０）と、
弁部材をシャフトの軸方向に摺動可能に支持する弁支持部位（２７０）と、を含んで構成されており、
第１空間形成部位、第２空間形成部位、および弁支持部位は、別部材として構成されており、
第１空間形成部位および第２空間形成部位は、減圧用空間の中心軸（Ｃｓ１）と昇圧用空間の中心軸（Ｃｓ２）とが同軸となるように位置決めされた状態で互いに連結されており、
第２空間形成部位と弁支持部位とは、弁支持部位に弁部材が支持された状態、且つ、昇圧用空間の中心軸と弁部材の中心軸（Ｃｓ３）とが同軸となるように位置決めされた状態で互いに連結されていることを特徴としている。
【００２１】
これによると、第１空間形成部位、第２空間形成部位、および弁支持部位以外の部材が各部位の位置決めの制約とならないので、各空間の中心軸、および弁部材の中心軸が同軸となるように構成することが可能となる。このため、各空間および弁部材の軸ずれに起因するノズル通路やディフューザ通路等の周方向における冷媒の流量の偏りを抑えることができる。この結果、冷媒の流量調整が可能なエジェクタにおいて、圧力エネルギと速度エネルギとの変換効率を向上させ、エジェクタ全体としての効率向上を図ることが可能となる。
【００２２】
また、請求項４に記載の発明は、
蒸気圧縮式の冷凍サイクルに適用され、
冷媒流入口（２１１）から流入した冷媒を減圧させる減圧用空間（２２２）、外部から冷媒を吸引する吸引用通路（２３１ｃ）、および減圧用空間から噴射された噴射冷媒と吸引用通路から吸引された吸引冷媒とを混合させて昇圧させる昇圧用空間（２３２）が形成されたボデー（２００）と、
少なくとも一部が減圧用空間および昇圧用空間の内部に配置され、シャフト（２４２）、およびシャフトを中心とする回転体の形状を有する通路形成部（２４１）を有する弁部材（２４０）と、
弁部材をシャフトの軸方向に変位させる駆動機構（２５０）と、を備え、
ボデーは、
減圧用空間を形成する部位であって、通路形成部との間に冷媒を減圧させて噴射する円環状のノズル通路（２２４）を形成する第１空間形成部位（２２２）と、
昇圧用空間を形成する部位であって、第１空間形成部位との間に円環状の吸引用通路を形成すると共に、通路形成部との間に噴射冷媒および吸引冷媒とを混合して昇圧させる円環状のディフューザ通路（２３２ａ）を形成する第２空間形成部位（２３０）と、
弁部材をシャフトの軸方向に摺動可能に支持する弁支持部位（２７０）と、
を含んで構成されるエジェクタの製造方法を対象としている。
【００２３】
請求項４に記載の発明では、
第１空間形成部位、第２空間形成部位、および弁支持部位は、別部材として構成されており、
第１空間形成部位と第２空間形成部位との相対的な位置を、減圧用空間の中心軸（Ｃｓ１）と昇圧用空間の中心軸（Ｃｓ２）とが同軸となるように位置決めした後、第１空間形成部位と第２空間形成部位とを連結する第１連結工程と、
弁支持部位に弁部材を支持すると共に、第１連結工程で第１空間形成部位に連結した第２空間形成部位と弁支持部位との相対的な位置を、減圧用空間の中心軸、昇圧用空間の中心軸、弁部材の中心軸（Ｃｓ３）が同軸となるように位置決めした後、第２空間形成部位と弁支持部位とを連結する第２連結工程と、
を含んでいることを特徴としている。
【００２４】
これによると、第１空間形成部位、第２空間形成部位、および弁支持部位以外の部材の加工精度等によらず、各空間の中心軸、および弁部材の中心軸が同軸となるように調整することが可能となる。このため、各空間の中心軸、および弁部材の中心軸のズレに起因するノズル通路やディフューザ通路等の周方向における冷媒の流量の偏りを抑えることができる。この結果、冷媒の流量調整が可能なエジェクタにおいて、圧力エネルギと速度エネルギとの変換効率を向上させ、エジェクタ全体としての効率向上を図ることが可能となる
なお、この欄および特許請求の範囲で記載した各手段の括弧内の符号は、後述する実施形態に記載の具体的手段との対応関係の一例を示すものである。
【図面の簡単な説明】
【００２５】
【図１】第１実施形態に係るエジェクタを備える冷凍サイクルの全体構成図である。
【図２】第１実施形態に係るエジェクタの模式的な断面図である。
【図３】第１実施形態に係るエジェクタの駆動機構の一部を示す断面図である。
【図４】第１実施形態に係るエジェクタのノズル形成部とミドルボデーとの組付態様を説明する断面図である。
【図５】第１実施形態に係るエジェクタのノズル形成部とミドルボデーとの組付状態を示す断面図である。
【図６】第１実施形態に係るエジェクタのベースボデーと弁部材との組付態様を説明する断面図である。
【図７】第１実施形態に係るエジェクタのベースボデーと弁部材との組付状態を示す断面図である。
【図８】第１実施形態に係るエジェクタのノズル形成部およびミドルボデーの組付体とベースボデーおよび弁部材の組付体との組付態様を説明する断面図である。
【図９】第１実施形態に係るエジェクタのノズル形成部およびミドルボデーの組付体とベースボデーおよび弁部材の組付体との組付状態を説明する断面図である。
【図１０】第１実施形態に係るエジェクタの内部における冷媒の流れを示す模式的な断面図である。
【図１１】弁部材の中心軸と昇圧用空間の中心軸とがずれている状態を示す断面図である。
【図１２】弁部材の中心軸と昇圧用空間の中心軸とが同軸となっている状態を示す断面図である。
【図１３】第２実施形態に係るエジェクタの模式的な断面図である。
【図１４】第３実施形態に係るエジェクタの模式的な断面図である。
【図１５】第３実施形態に係るエジェクタのノズル形成部およびミドルボデーの組付体とベースボデーおよび弁部材の組付体との組付態様を説明する断面図である。
【図１６】第３実施形態に係るエジェクタのノズル形成部およびミドルボデーの組付体とベースボデーおよび弁部材の組付体との組付状態を説明する断面図である。
【図１７】固定絞り等のように断面円形となる冷媒通路が形成された構成を示す断面図である。
【図１８】弁部材により断面が円環状となる冷媒通路が形成された構成を示す断面図である。
【発明を実施するための形態】
【００２６】
以下、本発明の実施形態について図面を参照して説明する。なお、以下の各実施形態において、先行する実施形態で説明した事項と同一もしくは均等である部分には、同一の参照符号を付し、その説明を省略する場合がある。
【００２７】
また、各実施形態において、構成要素の一部だけを説明している場合、構成要素の他の部分に関しては、先行する実施形態において説明した構成要素を適用することができる。
【００２８】
以下の実施形態は、特に組み合わせに支障が生じない範囲であれば、特に明示していない場合であっても、各実施形態同士を部分的に組み合わせることができる。
【００２９】
（第１実施形態）
本実施形態について、図１〜図１２を参照して説明する。本実施形態では、図１に示す蒸気圧縮式の冷凍サイクル１０に本発明のエジェクタ１００を適用した例について説明する。
【００３０】
本実施形態の冷凍サイクル１０は、空調対象空間である車室内へ送風する送風空気の温度を調整可能な車両用空調装置に適用されている。冷凍サイクル１０では、冷媒としてＨＦＣ系冷媒（例えば、Ｒ１３４ａ）を採用している。冷媒には圧縮機１１を潤滑するための冷凍機油が混入されており、冷凍機油の一部は冷媒とともにサイクルを循環している。
【００３１】
従って、本実施形態の冷凍サイクル１０は、高圧側冷媒圧力が冷媒の臨界圧力を超えない亜臨界冷凍サイクルを構成している。勿論、冷媒としては、ＨＦＯ系冷媒（具体的には、Ｒ１２３４ｙｆ）等を採用してもよい。
【００３２】
図１に示すように、冷凍サイクル１０は、主たる構成要素として、圧縮機１１、放熱器１２、エジェクタ１００、蒸発器１３を備えている。
【００３３】
圧縮機１１は、冷媒を吸入し、吸入した冷媒を圧縮して吐出する流体機械である。本実施形態の圧縮機１１は、図示しない電磁クラッチおよびベルトを介して車両走行用のエンジンにより回転駆動されるようになっている。圧縮機１１は、例えば、電磁式容量制御弁に図示しない制御装置からの制御信号が入力されることにより、吐出容量が可変される可変容量型圧縮機で構成される。なお、圧縮機１１は、電動モータにより回転駆動される電動圧縮機で構成してもよい。圧縮機１１を電動圧縮機で構成する場合、電動モータの回転数により吐出容量が可変される。
【００３４】
放熱器１２は、圧縮機１１から吐出された高圧冷媒を、室外ファン１２ａにより強制的に送風される車室外空気（外気）と熱交換させることで、高圧冷媒の熱を外気に放出して冷媒を凝縮液化する放熱用熱交換器である。
【００３５】
本実施形態では、放熱器１２としてサブクール型の凝縮器を採用している。具体的には、放熱器１２は、高圧冷媒を放熱させて凝縮させる凝縮部１２１、凝縮部１２１から流出した冷媒の気液を分離して余剰となる冷媒を蓄えるレシーバ１２２、およびレシーバ１２２で分離された液相冷媒を過冷却する過冷却部１２３を有している。放熱器１２の過冷却部１２３における冷媒流出側は、エジェクタ１００の冷媒流入口２１１に接続されている。
【００３６】
エジェクタ１００は、放熱器１２から流出した液相状態の高圧冷媒を減圧する減圧装置として機能すると共に、高速で噴出する冷媒流の吸引作用（巻き込み作用）によって、冷媒の循環を行う流体輸送用の冷媒循環装置としても機能する。なお、エジェクタ１００の具体的構成については後述する。
【００３７】
蒸発器１３は、室内送風機１３ａにより、図示しない車両空調装置の空調ケースに導入された外気、または車室内空気（内気）から吸熱して、その内部を流通する冷媒を蒸発させる吸熱用熱交換器である。蒸発器１３の冷媒流出側は、エジェクタ１００の冷媒吸引口２１２に接続されている。
【００３８】
次に、図示しない制御装置について説明する。制御装置は、ＣＰＵ、ＲＯＭやＲＡＭ等の各種メモリを含む周知のマイクロコンピュータとその周辺回路から構成されている。制御装置には、乗員による操作パネルからの各種操作信号や各種センサ群からの検出信号等が入力される。制御装置は、入力信号等を用いてメモリに記憶された制御プログラムに基づいて各種演算・処理を実行して各種機器の作動を制御する。
【００３９】
次に、図２、図３を参照して、本実施形態のエジェクタ１００の詳細な構成について説明する。ここで、図２等の図面上に示す上下の各矢印は、エジェクタ１００を車両に搭載した状態における上下方向を示している。
【００４０】
本実施形態のエジェクタ１００は、主たる構成要素として、ボデー２００、弁部材２４０、弁部材２４０を後述するシャフト２４２の軸方向（図２の上下方向）に変位させる駆動機構２５０を備える。
【００４１】
図２に示すように、本実施形態のエジェクタ１００は、複数の構成部材を組み合わせることによって構成されたボデー２００を備えている。
【００４２】
本実施形態のボデー２００は、エジェクタ１００の外殻を構成するハウジングボデー２１０の内部に、ノズルボデー２２０、ミドルボデー２３０、ベースボデー２７０等を組み合わせることによって構成されている。
【００４３】
ハウジングボデー２１０は、角柱状等の金属または樹脂で形成された部材で構成されている。ハウジングボデー２１０は、その上端側に冷媒流入口２１１および冷媒吸引口２１２が形成されている。冷媒流入口２１１は、冷凍サイクル１０の高圧側（放熱器１２）から高圧冷媒を流入させる冷媒導入部である。冷媒吸引口２１２は、蒸発器１３から流出した低圧冷媒を吸引する冷媒吸引部である。
【００４４】
また、ハウジングボデー２１０は、その下端側に液相流出口２１３および気相流出口２１４が形成されている。液相流出口２１３は、後述する気液分離空間２６０にて分離された液相冷媒を蒸発器１３の冷媒入口側へ流出させる液相冷媒導出部である。気相流出口２１４は、気液分離空間２６０にて分離された気相冷媒を圧縮機１１の吸入側へ流出させる気相冷媒導出部である。
【００４５】
ノズルボデー２２０は、ハウジングボデー２１０の内部における上端側に収容されている。より具体的には、ノズルボデー２２０は、後述する弁部材２４０のシャフト２４２の軸方向（上下方向）に直交する方向から見たときに、その一部が冷媒流入口２１１と重なり合うように、ハウジングボデー２１０の内部に収容されている。
【００４６】
本実施形態のノズルボデー２２０は、金属で形成された部材で構成されている。ノズルボデー２２０は、ハウジングボデー２１０の内部空間と適合する大きさに形成された旋回形成部２２１、および旋回形成部２２１の下端側に設けられて下方側へ向かって突出する筒状のノズル形成部２２２を含んで構成されている。
【００４７】
旋回形成部２２１には、その内部に冷媒流入口２１１から流入した高圧冷媒を旋回させる旋回空間２２０ａ等が形成されている。旋回空間２２０ａは、その中心軸が後述する弁部材２４０のシャフト２４２の軸方向に沿って延びる回転体形状に形成された空間である。なお、回転体形状とは、平面図形を同一平面上の１つの直線（中心軸）周りに回転させた際に形成される立体形状である。より具体的には、本実施形態の旋回空間２２０ａは、円柱状の形状を有している。勿論、旋回空間２２０ａは、円錐または円錐台と円柱とを結合させた形状等となっていてもよい。
【００４８】
また、本実施形態の旋回空間２２０ａは、ハウジングボデー２１０およびノズルボデー２２０の旋回形成部２２１に形成された冷媒流入通路２２３を介して冷媒流入口２１１に連通している。
【００４９】
冷媒流入通路２２３は、旋回空間２２０ａの中心軸の方向から見たとき、旋回空間２２０ａの内壁面の接線方向に延びるように形成されている。これにより、冷媒流入通路２２３から旋回空間２２０ａに流入した冷媒は、旋回空間２２０ａの内壁面に沿って流れることで、旋回空間２２０ａを旋回する。なお、冷媒流入通路２２３は、旋回空間２２０ａに流入した冷媒が旋回空間２２０ａの内壁面に沿って流れる形状に形成されていれば、その他の方向の成分（例えば、旋回空間２２０ａの中心軸の方向）を含んで構成されていてもよい。
【００５０】
また、ノズル形成部２２２には、その内部に旋回空間２２０ａを旋回した冷媒が通過する減圧用空間２２０ｂが形成されている。減圧用空間２２０ｂは、旋回空間２２０ａを旋回した高圧冷媒が流入するように、旋回空間２２０ａの下方側に形成されている。本実施形態の減圧用空間２２０ｂは、その中心軸が旋回空間２２０ａと同軸となるように形成されている。
【００５１】
減圧用空間２２０ｂは、冷媒流れ方向下流側へ向かって断面積が連続的に小さくなる円錐台形状の穴（先細部２２２ａ）、および冷媒流れ方向下流側へ向かって断面積が連続的に大きくなる円錐台形状の穴（末広部２２２ｂ）を結合させた形状となっている。なお、減圧用空間２２０ｂにおける先細部２２２ａと末広部２２２ｂとの接続箇所が、流路断面積が最も縮小されたノズル喉部（最小通路面積部）２２２ｃとなっている。
【００５２】
末広部２２２ｂは、減圧用空間２２０ｂの中心軸に直交する方向から見たときに、後述する弁部材２４０における通路形成部２４１の上方側の部位と重なり合っている。このため、末広部２２２ｂは、弁部材２４０のシャフト２４２の軸方向に対して垂直な断面形状が円環状（ドーナツ状）となっている。
【００５３】
本実施形態では、ノズルボデー２２０の減圧用空間２２０ｂを形成する部位の内周面と、後述する弁部材２４０の通路形成部２４１の上方側の外周面との間に形成される円環状の冷媒通路がノズルとして機能するノズル通路２２４を構成している。
【００５４】
本実施形態では、ノズルボデー２２０におけるノズル形成部２２２が、減圧用空間２２０ｂを形成する部位であって、後述する弁部材２４０の通路形成部２４１との間に円環状のノズル通路２２４を形成する第１空間形成部位を構成している。
【００５５】
また、ノズル形成部２２２の外周側には、外側に突出する環状のフランジ部２２２ｄが形成されている。フランジ部２２２ｄには、ボルトで構成される第１締結部材２２５を挿入可能な挿入穴２２２ｅが周方向に間隔をあけて複数形成されている。
【００５６】
続いて、ミドルボデー２３０は、ハウジングボデー２１０の内部におけるノズルボデー２２０の下方側に収容されている。具体的には、ミドルボデー２３０は、後述する弁部材２４０のシャフト２４２の軸方向に直交する方向から見たときに、その一部が冷媒吸引口２１２と重なり合うように、ハウジングボデー２１０の内部に収容されている。
【００５７】
本実施形態のミドルボデー２３０は、金属で形成された部材で構成されている。本実施形態のミドルボデー２３０には、その中心部に表裏を貫通する回転体形状の貫通穴２３０ａが形成されている。
【００５８】
また、本実施形態のミドルボデー２３０には、旋回形成部２２１に対向する上面側の部位に、後述する駆動機構２５０を保持する保持部２３０ｂが設けられている。保持部２３０ｂは、駆動機構２５０の外周形状に適合する内周面を有する筒状部で構成されている。
【００５９】
ミドルボデー２３０と旋回形成部２２１との間には、冷媒吸引口２１２から流入した冷媒を滞留させる吸引空間２３１ａが形成されている。本実施形態の吸引空間２３１ａは、減圧用空間２２０ｂの中心軸の方向における形状が円環状となるように構成されている。
【００６０】
また、ミドルボデー２３０における冷媒吸引口２１２に対応する部位には、冷媒吸引口２１２と貫通穴２３０ａとを連通させる連通路２３１ｂが形成されている。この連通路２３１ｂは、冷媒吸引口２１２から吸引された冷媒を貫通穴２３０ａへ導く冷媒通路を構成している。
【００６１】
さらに、ミドルボデー２３０の貫通穴２３０ａの内周面とノズル形成部２２２の外周面との間には、隙間があいており、当該隙間により外部から冷媒を吸引する円環状の吸引用通路２３１ｃが形成されている。吸引用通路２３１ｃは、ノズル形成部２２２の内側に形成される減圧用空間２２０ｂに連通している。本実施形態のエジェクタ１００では、吸引空間２３１ａ、連通路２３１ｂ、および吸引用通路２３１ｃが、冷媒吸引口２１２からの冷媒を吸引する吸引部２３１を構成している。
【００６２】
そして、ミドルボデー２３０の貫通穴２３０ａのうち、吸引用通路２３１ｃの冷媒流れ下流側には、冷媒流れ方向に向かって徐々に広がる略円錐台形状に形成された昇圧用空間２３２が形成されている。この昇圧用空間２３２は、上述したノズル通路２２４から噴射された噴射冷媒と吸引用通路２３１ｃから吸引された吸引冷媒とを混合して昇圧させる空間である。
【００６３】
本実施形態の昇圧用空間２３２は、冷媒の流れ方向下流側（下方側）に向かって、その径方向の断面積が拡大するように形成されている。なお、昇圧用空間２３２は、下方側に向かって断面積が拡大する円錐台形状（ラッパ状）の空間を構成している。
【００６４】
昇圧用空間２３２の内部には、後述する弁部材２４０における通路形成部２４１の下方側の部位が配置されている。そして、昇圧用空間２３２内における通路形成部２４１の円錐状側面の等価的な広がり角度は、昇圧用空間２３２の円錐台形状空間の等価的な広がり角度よりも小さくなっている。これにより、昇圧用空間２３２の内周面と、後述する弁部材２４０における通路形成部２４１の外周面との間に形成される冷媒通路は、その冷媒通路面積が冷媒流れ下流側に向かって徐々に拡大している。なお、等価的な広がり角度とは、例えば、円環状の空間となる場合に、円環状の空間を、当該空間と同じ断面積を有する円柱状の空間に置き換えた際の広がり角度を意味している。
【００６５】
本実施形態では、昇圧用空間２３２の内周面と、弁部材２４０における通路形成部２４１の外周面との間に形成される円環状の冷媒通路が、噴射冷媒および吸引冷媒の速度エネルギを圧力エネルギに変換させるディフューザ通路２３２ａを構成している。
【００６６】
本実施形態では、ミドルボデー２３０が、昇圧用空間２３２を形成する部位であって、ノズル形成部２２２との間に吸引用通路２３１ｃを形成すると共に、後述する通路形成部２４１との間にディフューザ通路２３２ａを形成する第２空間形成部位を構成している。
【００６７】
本実施形態のミドルボデー２３０には、ノズル形成部２２２におけるフランジ部２２２ｄの挿入穴２２２ｅに対応する部位に、第１締結部材２２５の第１締結受部２３０ｄが形成されている。第１締結受部２３０ｄには、第１締結部材２２５のネジ山に対応するネジ溝が形成されている。
【００６８】
本実施形態のノズル形成部２２２およびミドルボデー２３０は、別部材として構成されている。そして、ノズル形成部２２２およびミドルボデー２３０は、減圧用空間２２０ｂの中心軸と昇圧用空間２３２の中心軸とが同軸となるように位置決めされた状態で、第１締結部材２２５により互いに連結されている。なお、本実施形態では、第１締結部材２２５をボルトで構成しているが、これに限らず、例えば、リベットやピンで構成してもよい。
【００６９】
ここで、後述する弁部材２４０の軸方向に直交する径方向において、ノズル形成部２２２およびミドルボデー２３０同士が接触していると、各部材の相対的な位置を調整する際の制約となってしまうことが懸念される。
【００７０】
このため、本実施形態のノズル形成部２２２およびミドルボデー２３０は、後述する弁部材２４０の軸方向に直交する径方向において、互いに隙間があいた状態で連結されている。
【００７１】
また、本実施形態のミドルボデー２３０には、後述するベースボデー２７０における基板部２７１の外側の部位に形成された挿入穴２７１ａに対応する部位に、後述する第２締結部材２７４の第２締結受部２３０ｅが形成されている。第２締結受部２３０ｅには、第２締結部材２７４のネジ山に対応するネジ溝が形成されている。
【００７２】
続いて、弁部材２４０について説明する。弁部材２４０は、ノズル形成部２２２の内周との間にノズル通路２２４を形成すると共に、ミドルボデー２３０の内周面との間にディフューザ通路２３２ａを形成する部材である。弁部材２４０は、少なくとも一部が減圧用空間２２０ｂ、および昇圧用空間２３２の双方に位置するようにハウジングボデー２１０の内部に収容されている。
【００７３】
本実施形態の弁部材２４０は、ノズル通路２２４およびディフューザ通路２３２ａを形成する通路形成部２４１、および後述するベースボデー２７０に支持されるシャフト２４２を有している。
【００７４】
通路形成部２４１は、略円錐状の金属または樹脂で構成されている。具体的には、通路形成部２４１は、減圧用空間２２０ｂから離れるに伴って外径が拡大する略円錐形状に形成されている。
【００７５】
通路形成部２４１における減圧用空間２２０ｂの内周面と対向する部位は、減圧用空間２２０ｂの内周面との間に環状のノズル通路２２４が形成されるように、減圧用空間２２０ｂの末広部２２２ｂの内周面に沿う曲面を有する。
【００７６】
また、通路形成部２４１における昇圧用空間２３２の内周面と対向する部位は、昇圧用空間２３２の内周面との間に環状のディフューザ通路２３２ａが形成されるように、昇圧用空間２３２の内周面に沿う曲面を有する。
【００７７】
さらに、通路形成部２４１には、図示しないが、ディフューザ通路２３２ａの冷媒流れ下流側となる部位に、ディフューザ通路２３２ａから流出した冷媒に気液分離用の旋回力を付与する固定翼が配設されている。
【００７８】
ここで、前述のように、昇圧用空間２３２が円錐台形状の空間を構成するように形成され、通路形成部２４１が昇圧用空間２３２の内周面に沿う曲面を有する。このため、ディフューザ通路２３２ａは、シャフト２４２の軸方向に対して交差する方向に拡がるように形成されている。つまり、ディフューザ通路２３２ａは、冷媒流れ上流側から下流側に向けてシャフト２４２から遠ざかるような冷媒通路となっている。
【００７９】
シャフト２４２は、弁部材２４０の中心軸の軸線に沿って伸びる棒状の金属で構成されている。シャフト２４２は、通路形成部２４１がシャフト２４２の軸方向に沿って変位するように、一端側の部位が通路形成部２４１に固定され、他端側の部位が後述するベースボデー２７０に支持されている。
【００８０】
続いて、駆動機構２５０について説明する。駆動機構２５０は、弁部材２４０をシャフト２４２の軸方向に沿って変位させて、各通路２２４、２３２ａの冷媒流路面積を変更する駆動部である。
【００８１】
本実施形態の駆動機構２５０は、蒸発器１３から流出した低圧冷媒の過熱度（温度および圧力）が所望の範囲となるように、弁部材２４０の変位量を制御するように構成されている。本実施形態の駆動機構２５０は、外部の雰囲気温度の影響を受けないように、ボデー２００内部に収容されている。
【００８２】
本実施形態の駆動機構２５０は、受圧部で受ける圧力に応じて変位する圧力応動部材を構成する薄板状のダイヤフラム２５１、およびダイヤフラム２５１を保持する一対の蓋部２５２ａ、２５２ｃを有している。
【００８３】
図３に示すように、一対の蓋部２５２ａ、２５２ｃは、ミドルボデー２３０の上面に形成された環状の保持部２３０ｂに保持可能なように、当該保持部２３０ｂの内側形状に適合する環状の形状（ドーナツ状の形状）に形成されている。
【００８４】
ダイヤフラム２５１は、一対の蓋部２５２ａ、２５２ｃの内部に収容可能なように、環状に形成されている。ダイヤフラム２５１は、内周縁部および外周縁部の双方が、一対の蓋部２５２ａ、２５２ｃとで狭持された状態で、一対の蓋部２５２ａ、２５２ｃとの間に形成される環状の空間を上下の２つの空間に仕切るように固定されている。
【００８５】
ダイヤフラム２５１により仕切られた２つの空間のうち、上方側の空間は、蒸発器１３から流出した冷媒の温度に応じて圧力が変化する気液混合状態の感温媒体が封入される封入空間２５２ｂを構成している。本実施形態の封入空間２５２ｂは、上蓋部２５２ａおよびダイヤフラム２５１により形成されている。従って、上蓋部２５２ａは、感温媒体を封入する封入空間２５２ｂを形成する封入空間形成部を構成している。
【００８６】
封入空間２５２ｂには、主として冷凍サイクル１０を循環する冷媒と同一の冷媒で組成された感温媒体（例えば、Ｒ１３４ａ）が、予め定めた重量となるように封入されている。感温媒体は、気液混合状態で封入空間２５２ｂに封入されている。なお、感温媒体は、例えば、サイクルを循環する冷媒とヘリウムガスとの混合流体を採用してもよい。
【００８７】
本実施形態の封入空間２５２ｂは、ダイヤフラム２５１の形状に適合する環状の空間を構成しており、弁部材２４０と干渉しないように、弁部材２４０の中心軸の周りを囲むように形成されている。
【００８８】
封入空間２５２ｂを形成する上蓋部２５２ａは、吸引部２３１と隣接する位置に配置されている。これにより、封入空間２５２ｂ内の感温媒体には、吸引部２３１を流通する吸引冷媒の温度が伝達され、封入空間２５２ｂの内圧が、吸引部２３１を流通する吸引冷媒の温度に応じた圧力に近づく。
【００８９】
一方、ダイヤフラム２５１により仕切られた２つの空間のうち、下蓋部２５２ｃとの間に形成される空間は、ミドルボデー２３０に形成された図示しない連通路を介して、蒸発器１３から流出した冷媒を導入させる導入空間２５２ｄを構成している。
【００９０】
導入空間２５２ｄは、感温媒体の圧力に対抗するように、ダイヤフラム２５１に対して吸引部（吸引用通路）２３１内の吸引冷媒の圧力を作用させる圧力室である。下蓋部２５２ｃには、吸引部２３１を流れる冷媒を導入空間２５２ｄに導入すると共に、後述する作動棒２５３ａの上端部を挿入する貫通穴部２５２ｅが形成されている。
【００９１】
このように、封入空間２５２ｂに封入された感温媒体には、一対の蓋部２５２ａ、２５２ｃ等を介して、蒸発器１３から流出した冷媒、すなわち、吸引部２３１を流通する吸引冷媒の温度が伝達される。本実施形態では、一対の蓋部２５２ａ、２５２ｃ、および各空間２５２ｂ、２５２ｄが吸引部２３１を流通する吸引冷媒の温度を検知する感温部２５２を構成している。
【００９２】
ここで、ダイヤフラム２５１は、封入空間２５２ｂの内圧と導入空間２５２ｄへ導入された冷媒の圧力との圧力差に応じて変形すると共に、常に冷媒に接している。このため、ダイヤフラム２５１は、強靭性、耐圧性、ガスバリア性、シール性に優れた材料で構成することが望ましい。
【００９３】
本実施形態では、ダイヤフラム２５１として、例えば、基布（ポリエステル）入りのＥＰＤＭ（エチレンプロピレンゴム）やＨＮＢＲ（水素添加ニトリルゴム）等の合成ゴム製の基材を採用している。ダイヤフラム２５１は、ゴム製の基材に対して、感温媒体の封入空間２５２ｂからの漏洩を抑制するバリア膜を一体化させることが望ましい。バリア膜は、封入空間２５２ｂに封入する感温媒体の種類に応じて、当該感温媒体の透過度が低いものを選択することが望ましい。
【００９４】
また、駆動機構２５０は、ダイヤフラム２５１の変位により生ずる荷重を弁部材２４０に伝達する荷重伝達部材２５３を有している。
【００９５】
荷重伝達部材２５３は、図２に示すように、一端側が弁部材２４０の通路形成部２４１に接するように配設された複数本の作動棒２５３ａと、各作動棒２５３ａの他端側およびダイヤフラム２５１の双方に接するように配設されたプレート部材２５３ｂとを有している。
【００９６】
各作動棒２５３ａは、ミドルボデー２３０の貫通穴２３０ａの径方向外側に形成された摺動穴２３０ｃを貫くと共に、一端側が通路形成部２４１の下方側の外周に接触し、他端側がプレート部材２５３ｂに接するように配設されている。
【００９７】
各作動棒２５３ａは、プレート部材２５３ｂの周方向（弁部材２４０の中心軸の周方向）に間隔をあけて配置されている。各作動棒２５３ａは、ダイヤフラム２５１の変位が弁部材２４０に正確に伝達されるように、プレート部材２５３ｂの周方向に均等に配置することが望ましい。
【００９８】
また、各作動棒２５３ａは、ダイヤフラム２５１の変位が弁部材２４０に正確に伝達されるように、ミドルボデー２３０の周方向に間隔をあけて３本以上配設することが望ましい。より好ましくは、作動棒２５３ａは、ミドルボデー２３０の周方向に間隔をあけて３本配設することが望ましい。
【００９９】
続いて、プレート部材２５３ｂは、ダイヤフラム２５１からの荷重を各作動棒２５３ａに対して均等に伝えるための部材である。プレート部材２５３ｂは、ダイヤフラム２５１における受圧部を支持するように、ダイヤフラム２５１と作動棒２５３ａとで狭持されている。本実施形態のプレート部材２５３ｂは、導入空間２５２ｄに配置されている。
【０１００】
本実施形態のプレート部材２５３ｂは、ダイヤフラム２５１の変位により生ずる荷重を作動棒２５３ａに適切に伝達するために、弁部材２４０の軸方向から見たときにダイヤフラム２５１と重なり合うように環状に形成されている。
【０１０１】
また、本実施形態のプレート部材２５３ｂは、ダイヤフラム２５１よりも剛性が高い材料（例えば、金属）で構成されている。ダイヤフラム２５１と作動棒２５３ａとの間に、プレート部材２５３ｂを介在させることで、各作動棒２５３ａの寸法のばらつきやダイヤフラム２５１の反り等が生じていても、ダイヤフラム２５１から弁部材２４０へ伝達される力が変化してしまうことを抑制できる。
【０１０２】
また、駆動機構２５０は、弁部材２４０に対して荷重をかける付勢部材２５４、および弁部材２４０に対して作用する付勢部材２５４の荷重を調整する荷重調整部２５５を有する。
【０１０３】
付勢部材２５４は、駆動機構２５０からの荷重に応じた弁部材２４０の変位特性を設定する部材である。具体的には、付勢部材２５４は、弁部材２４０に対してノズル通路２２４、ディフューザ通路２３２ａの冷媒通路面積を縮小させる方向に荷重を作用させるものである。本実施形態の付勢部材２５４は、コイルバネで構成されている。なお、付勢部材２５４は、冷媒が減圧される際の圧力脈動等に起因する弁部材２４０の振動を減衰させる緩衝部材としての機能も果たしている。
【０１０４】
また、荷重調整部２５５は、付勢部材２５４により弁部材２４０に作用させる荷重を調整することで、弁部材２４０の開弁圧を調整して、狙いの過熱度を微調整するための部材である。
【０１０５】
このように構成される駆動機構２５０は、蒸発器１３から流出した冷媒の温度および圧力に応じて、ダイヤフラム２５１が弁部材２４０を変位させることにより、蒸発器１３出口側の冷媒の過熱度が予め定めた所定値に近づくように調整される。
【０１０６】
例えば、蒸発器１３から流出した冷媒の温度および圧力が高く、冷凍サイクル１０の負荷が高い場合、ノズル通路２２４およびディフューザ通路２３２ａの冷媒通路面積が大きくなるように、ダイヤフラム２５１が弁部材２４０を変位させる。これにより、冷凍サイクル１０内を循環する冷媒流量が増加する。
【０１０７】
一方、蒸発器１３から流出した冷媒の温度および圧力が低く、冷凍サイクル１０の負荷が低い場合、ノズル通路２２４およびディフューザ通路２３２ａの冷媒通路面積が小さくなるように、ダイヤフラム２５１が弁部材２４０を変位させる。これにより、冷凍サイクル１０内を循環する冷媒流量が減少する。
【０１０８】
続いて、エジェクタ１００における弁部材２４０の下方側の構成について説明する。弁部材２４０とハウジングボデー２１０内部の底面との間には、ディフューザ通路２３２ａから流出した混合冷媒の気液分離する気液分離空間２６０が形成されている。この気液分離空間２６０は、略円柱状の空間であり、その中心軸が、旋回空間２２０ａ、減圧用空間２２０ｂ、昇圧用空間２３２の中心軸と同軸とるように形成されている。
【０１０９】
また、ハウジングボデー２１０の内部空間の底面には、気液分離空間２６０と同軸となるように配置され、弁部材２４０側（上方側）に向かって延びる円筒状のパイプ２６１が設けられている。このパイプ２６１の内部には、気液分離空間２６０にて分離された気相冷媒をハウジングボデー２１０に形成された気相流出口２１４へ導く気相側流出通路２６２が形成されている。
【０１１０】
また、気液分離空間２６０にて分離された液相冷媒は、パイプ２６１の外周側に貯留される。なお、ハウジングボデー２１０におけるパイプ２６１の外周側の空間は、液相冷媒を貯留する貯液空間２６３を構成している。また、ハウジングボデー２１０における貯液空間２６３に対応する部位には、貯液空間２６３に貯留された液相冷媒を液相流出口２１３へ導く液相側流出通路２６４が形成されている。
【０１１１】
ここで、本実施形態のハウジングボデー２１０には、弁部材２４０の下方側に弁部材２４０を支持するベースボデー２７０が収容されている。本実施形態のベースボデー２７０は、円形板状の基板部２７１、基板部２７１の中心部に設けられた筒状の弁支持部２７２を有している。ベースボデー２７０を構成する基板部２７１および弁支持部２７２は、それぞれ金属で形成されており、溶接等により互いに連結されている。なお、ベースボデー２７０を構成する基板部２７１および弁支持部２７２は、一体成形により構成されていてもよい。
【０１１２】
基板部２７１は、外周側の部位がハウジングボデー２１０に対して固定され、中心側の部位に弁支持部２７２が固定されている。本実施形態の弁支持部２７２は、弁部材２４０のシャフト２４２の軸方向に沿って延びる摺動穴２７２ａが形成された筒状部材で構成されている。摺動穴２７２ａは、弁部材２４０のシャフト２４２を摺動させる貫通穴である。摺動穴２７２ａは、弁部材２４０のシャフト２４２が摺動可能な大きさに形成されている。
【０１１３】
本実施形態では、弁支持部２７２が気液分離空間２６０で分離された気相冷媒の気相側流出通路２６２へ流入する際の流通抵抗とならないように、弁部材２４０と気相側流出通路２６２の冷媒入口部との間に弁支持部２７２を配置している。本実施形態では、ベースボデー２７０が、ボデー２００における弁部材２４０をシャフト２４２の軸方向に摺動可能に支持する弁支持部位を構成している。
【０１１４】
また、本実施形態の基板部２７１には、ディフューザ通路２３２ａの冷媒出口側に近接する部位に、ディフューザ通路２３２ａから流出した冷媒を気液分離空間２６０に導く出口側連通路２７３が形成されている。
【０１１５】
さらに、本実施形態のベースボデー２７０の基板部２７１には、ミドルボデー２３０に形成された第２締結受部２３０ｅに対応する部位に、ボルトで構成される第２締結部材２７４を挿入可能な挿入穴２７１ａが複数形成されている。
【０１１６】
ここで、本実施形態のベースボデー２７０およびミドルボデー２３０は、別部材として構成されている。そして、ベースボデー２７０およびミドルボデー２３０は、昇圧用空間２３２の中心軸と弁部材２４０の中心軸とが同軸となるように位置決めされた状態で、第２締結部材２７４により互いに連結されている。なお、本実施形態では、第２締結部材２７４をボルトで構成しているが、これに限らず、例えば、リベットやピンで構成してもよい。
【０１１７】
ここで、弁部材２４０の軸方向に直交する径方向において、ミドルボデー２３０およびベースボデー２７０同士が接触していると、各部材の相対的な位置を調整する際に制約が生じてしまうことが懸念される。
【０１１８】
このため、本実施形態のミドルボデー２３０およびベースボデー２７０は、弁部材２４０の軸方向に直交する径方向において、互いに隙間があいた状態で連結されている。
【０１１９】
次に、上記の構成を有するエジェクタ１００の製造方法について説明する。まず、エジェクタ１００を構成するハウジングボデー２１０、ノズルボデー２２０、ミドルボデー２３０、弁部材２４０、駆動機構２５０、ベースボデー２７０等の各構成部品を用意する（用意工程）。本実施形態では、ノズルボデー２２０について、旋回形成部２２１とノズル形成部２２２とを別部品として用意した例について説明する。
【０１２０】
用意工程で各構成部品を用意した後、ノズル形成部２２２とミドルボデー２３０とを連結する（第１連結工程）。具体的には、第１連結工程では、図４に示すように、ノズル形成部２２２とミドルボデー２３０との相対的な位置を、減圧用空間２２０ｂの中心軸Ｃｓ１および昇圧用空間２３２の中心軸Ｃｓ２とが同軸となるように位置決めする。そして、図５に示すように、ノズル形成部２２２とミドルボデー２３０とを第１締結部材２２５により締結して連結する。本実施形態では、第１締結部材２２５をノズル形成部２２２側（上方側）からミドルボデー２３０側（下方側）に向かって挿入連結する構成としている。
【０１２１】
ここで、本実施形態では、弁部材２４０の軸方向に直交する径方向において、ノズル形成部２２２とミドルボデー２３０との間に隙間が形成される構成としている。このため、ノズル形成部２２２とミドルボデー２３０とを第１締結部材２２５により締結する際に、減圧用空間２２０ｂの中心軸Ｃｓ１および昇圧用空間２３２の中心軸Ｃｓ２が同軸となるように微調整可能となっている。
【０１２２】
また、用意工程で用意したベースボデー２７０の弁支持部２７２に対して弁部材２４０のシャフト２４２を挿入して、弁部材２４０をベースボデー２７０にて支持する（弁支持工程）。具体的には、弁支持工程では、図６に示すように、ベースボデー２７０に対して、駆動機構２５０の付勢部材２５４、および荷重調整部２５５を取り付ける。この状態で、ベースボデー２７０の弁支持部２７２の摺動穴２７２ａに、弁部材２４０のシャフト２４２を挿入して、図７に示すように、弁部材２４０をベースボデー２７０にて支持する。
【０１２３】
ここで、第１連結工程と弁支持工程は、例えば、第１連結工程の後に、弁支持工程を実施してもよいし、弁支持工程の後に、第１連結工程を実施してもよい。さらに、第１連結工程と弁支持工程は、同時に実施してもよい。
【０１２４】
第１連結工程および弁支持工程の完了後、ノズル形成部２２２が連結されたミドルボデー２３０とベースボデー２７０とを連結する（第２連結工程）。具体的には、第２連結工程では、図８に示すように、ミドルボデー２３０とベースボデー２７０との相対的な位置を、減圧用空間２２０ｂの中心軸Ｃｓ１、昇圧用空間２３２の中心軸Ｃｓ２、弁部材２４０の中心軸Ｃｓ３が同軸となるように位置決めする。そして、図９に示すように、ミドルボデー２３０とベースボデー２７０とを第２締結部材２７４により締結して連結する。本実施形態では、第２締結部材２７４をベースボデー２７０側（下方側）からミドルボデー２３０側（上方側）に向かって挿入連結する構成としている。すなわち、本実施形態では、各締結部材２２５、２７４を反対方向から挿入連結する構成となっている。
【０１２５】
ここで、本実施形態では、弁部材２４０の軸方向に直交する径方向において、ミドルボデー２３０とベースボデー２７０との間に隙間が形成される構成としている。このため、ミドルボデー２３０とベースボデー２７０とを第２締結部材２７４により締結する際に、減圧用空間２２０ｂの中心軸Ｃｓ１、昇圧用空間２３２の中心軸Ｃｓ２、弁部材２４０の中心軸Ｃｓ３が同軸となるように微調整可能となっている。
【０１２６】
続いて、ミドルボデー２３０の保持部２３０ｂに対して駆動機構２５０を取り付けて保持する（保持工程）。具体的には、駆動機構２５０の各作動棒２５３ａをミドルボデー２３０の摺動穴２３０ｃに挿入した後、ダイヤフラム２５１を保持した一対の蓋部２５２ａ、２５２ｃを圧入等によりミドルボデー２３０の保持部２３０ｂに取り付ける。
【０１２７】
そして、旋回形成部２２１をノズル形成部２２２に組み付ける（組付工程）。さらに、組付工程で組み付けた組付体を圧入や溶接等によりハウジングボデー２１０に収容固定する（収容工程）。
【０１２８】
本実施形態のエジェクタ１００は、上述した各工程により図２に示す構造となるように製造される。そして、上述した各工程により製造したエジェクタ１００は、外観検査や動作確認等の各種検査工程を得て製造が完了する。
【０１２９】
次に、上記構成に基づく、本実施形態のエジェクタ１００の作動について説明する。乗員により空調作動スイッチ等が投入されると、制御装置からの制御信号により圧縮機１１の電磁クラッチが通電され、電磁クラッチ等を介して、圧縮機１１に車両走行用のエンジンから回転駆動力が伝達される。そして、制御装置から圧縮機１１の電磁式容量制御弁に対して制御信号が入力され、圧縮機１１の吐出容量が所望の量に調整されて、圧縮機１１がエジェクタ１００の気相流出口２１４から吸入した気相冷媒を圧縮して吐出する。
【０１３０】
圧縮機１１から吐出された高温高圧の気相冷媒は、放熱器１２の凝縮部１２１に流入し、外気により冷却されて凝縮液化した後、レシーバ１２２にて気液が分離される。その後、レシーバ１２２にて分離された液相冷媒は、過冷却部１２３に流入して過冷却される。
【０１３１】
放熱器１２の過冷却部１２３から流出した液相冷媒は、エジェクタ１００の冷媒流入口２１１に流入する。エジェクタ１００の冷媒流入口２１１に流入した高圧冷媒は、図１０に示すように、冷媒流入通路２２３を介してエジェクタ１００内部の旋回空間２２０ａに流入する。そして、旋回空間２２０ａに流入した高圧冷媒は、旋回空間２２０ａの内壁面に沿って流れ、旋回空間２２０ａを旋回する。旋回空間２２０ａでは、遠心力の作用によって、旋回中心側に気相冷媒が集まり易く、その周りに液相冷媒が集まり易くなる。
【０１３２】
そして、旋回空間２２０ａの冷媒は、冷媒流れ下流側の減圧用空間２２０ｂに流入し、ノズル通路２２４にて減圧膨脹される。この減圧膨脹時に冷媒の圧力エネルギが速度エネルギに変換されることで、気液混相状態の冷媒は、ノズル通路２２４から高速度となって噴出される。
【０１３３】
この点について詳述すると、まず、ノズル通路２２４では、ノズル形成部２２２の先細部２２２ａの内壁面側から冷媒が剥離する際に壁面沸騰が生ずる。また、ノズル通路２２４では、その中心側の冷媒のキャビテーションによる沸騰核によって界面沸騰が生ずる。このようにノズル通路２２４では冷媒の沸騰が促進されることから、ノズル通路２２４に流入した冷媒は、気相と液相が均質に混合した気液混相状態に近づく。
【０１３４】
そして、ノズル形成部２２２のノズル喉部２２２ｃ付近で気液混相状態となった冷媒の流れに閉塞（チョーキング）が生じ、このチョーキングにより音速に到達した気液混合状態の冷媒が、ノズル形成部２２２の末広部２２２ｂにて加速されて噴出される。
【０１３５】
このように、壁面沸騰および界面沸騰の双方による沸騰促進によって気液混層状態の冷媒を音速となるまで効率よく加速できることで、ノズル通路２２４におけるエネルギ変換効率（ノズル効率に相当）の向上を図ることができる。
【０１３６】
また、ノズル通路２２４から噴出される冷媒の吸引作用により、蒸発器１３流出冷媒が冷媒吸引口２１２を介して吸引部２３１に吸引される。そして、吸引部２３１に吸引された低圧冷媒およびノズル通路２２４から噴出された噴出冷媒との混合冷媒が、冷媒流れ下流側に向かって冷媒流路面積が拡大するディフューザ通路２３２ａに流入し、速度エネルギが圧力エネルギに変換されることで昇圧される。
【０１３７】
なお、本実施形態のエジェクタ１００の弁部材２４０は、減圧用空間２２０ｂから離れるに伴って断面積が拡大する略円錐形状に形成されている。このため、ディフューザ通路２３２ａの形状を減圧用空間２２０ｂから離れるに伴って外周側へ拡がる形状とすることができる。これにより、弁部材２４０の軸線ＣＬの方向への寸法の拡大を抑制して、エジェクタ１００全体としての体格の大型化を抑制可能となる。
【０１３８】
ディフューザ通路２３２ａから流出した冷媒は、図示しない固定翼に流入して旋回力が付与される。このため、気液分離空間２６０では、遠心力の作用によって冷媒の気液が分離される。
【０１３９】
気液分離空間２６０にて分離された気相冷媒は、気相側流出通路２６２および気相流出口２１４を介して、圧縮機１１の吸入側に吸引され、再び圧縮される。この際、圧縮機１１に吸入される冷媒の圧力は、エジェクタ１００のディフューザ通路２３２ａにて昇圧されているので、圧縮機１１の駆動力を低減することが可能となる。
【０１４０】
また、気液分離空間２６０にて分離された液相冷媒は、貯液空間２６３に貯留され、エジェクタ１００の冷媒吸引作用により、液相側流出通路２６４および液相流出口２１３を介して、蒸発器１３に流入する。
【０１４１】
蒸発器１３では、低圧の液相冷媒が、空調ケース内を流れる空気から吸熱して蒸発気化する。そして、蒸発器１３から流出した気相冷媒は、エジェクタ１００の冷媒吸引口２１２を介して吸引部２３１に吸引され、ディフューザ通路２３２ａに流入する。
【０１４２】
以上説明した本実施形態のエジェクタ１００は、弁部材２４０を変位させる駆動機構２５０を備えている。このため、冷凍サイクル１０の負荷に応じて弁部材２４０を変位させて、ノズル通路２２４およびディフューザ通路２３２ａの冷媒通路面積を調整可能となっている。
【０１４３】
ここで、図１１は、弁部材２４０の中心軸Ｃｓ３と昇圧用空間の中心軸Ｃｓ２とがずれている状態を示す断面図である。また、図１２は、弁部材２４０の中心軸Ｃｓ３と昇圧用空間の中心軸Ｃｓ２とが同軸となっている状態を示す断面図である。
【０１４４】
図１１に示すように、弁部材２４０の中心軸Ｃｓ３が昇圧用空間の中心軸Ｃｓ２に対してずれている場合、ディフューザ通路２３２ａの冷媒流路面積が周方向で異なる大きさとなってしまう。因みに、減圧用空間２２０ｂの中心軸Ｃｓ１と昇圧用空間の中心軸Ｃｓ２とがずれていると、ノズル通路２２４および吸引用通路２３１ｃの冷媒流路面積が周方向で異なる大きさとなってしまう。
【０１４５】
一方、図１２に示すように、弁部材２４０の中心軸Ｃｓ３と昇圧用空間の中心軸Ｃｓ２とが同軸となっている場合、ディフューザ通路２３２ａの冷媒流路面積は周方向で殆ど同じ大きさとなる。
【０１４６】
図１１に示すように、ボデー２００の内部に形成される各冷媒通路の冷媒流路面積が周方向で異なっていると、各冷媒通路を流れる冷媒速度が周方向で異なることになる。このことは、圧力エネルギを速度エネルギに変換する効率（ノズル効率に相当）を低下させる要因となり、エジェクタ１００全体としての効率であるエジェクタ効率に悪影響となることから好ましくない。
【０１４７】
これに対して、本実施形態では、別部材で構成したノズル形成部２２２とミドルボデー２３０とを、減圧用空間２２０ｂの中心軸Ｃｓ１と昇圧用空間２３２の中心軸Ｃｓ２とが同軸となるように位置決めした状態で互いに連結する構成としている。さらに、本実施形態では、別部材で構成したミドルボデー２３０とベースボデー２７０とを、昇圧用空間２３２の中心軸Ｃｓ２と弁部材２４０の中心軸Ｃｓ２とが同軸となるように位置決めした状態で互いに連結する構成としている。
【０１４８】
これによると、ノズル形成部２２２、ミドルボデー２３０、およびベースボデー２７０を互いに連結する構成としているので、他の部材が減圧用空間２２０ｂ、昇圧用空間２３２、および弁部材２４０の各中心軸の位置決めの制約とならない。このため、減圧用空間２２０ｂ、昇圧用空間２３２、および弁部材２４０の各中心軸を同軸となるように構成することが可能となる。
【０１４９】
この結果、各空間２２０ｂ、２３２および弁部材２４０の軸ずれに起因するノズル通路２２４やディフューザ通路２３２ａ等の周方向における冷媒の流量の偏りを抑えることができる。従って、冷媒の流量調整が可能なエジェクタ１００において、圧力エネルギと速度エネルギとの変換効率を向上させ、エジェクタ１００全体としての効率向上を図ることが可能となる。
【０１５０】
特に、本実施形態では、ノズル形成部２２２、ミドルボデー２３０、およびベースボデー２７０を、シャフト２４２の軸方向に直交する方向において、互いに隙間があいた状態で連結する構成としている。
【０１５１】
これによれば、ノズル形成部２２２、ミドルボデー２３０、およびベースボデー２７０を、シャフト２４２の軸方向に直交する方向における相対的な位置を調整することができる。このため、減圧用空間２２０ｂ、昇圧用空間２３２、および弁部材２４０の各中心軸の位置決め精度の向上を図ることが可能となる。
【０１５２】
ここで、ノズル形成部２２２、ミドルボデー２３０、およびベースボデー２７０は、各締結部材２２５、２７４における接合強度を充分に確保するために、周方向における３箇所以上で連結することが望ましい。また、各締結部材２２５、２７４は、ノズル通路２２４やディフューザ通路２３２ａの冷媒流れに影響しないように、各通路２２４、２３２ａよりも径方向外側に設けることが望ましい。
【０１５３】
（第２実施形態）
次に、第２実施形態について、図１３を参照して説明する。本実施形態では、ミドルボデー２３０の一部をノズル形成部２２２およびベースボデー２７０よりも熱伝導率の低い材料で構成している点が第１実施形態と相違している。
【０１５４】
本実施形態では、第１実施形態と同様に、ノズル形成部２２２、ミドルボデー２３０、およびベースボデー２７０を別部材で構成すると共に、ノズル形成部２２２、ミドルボデー２３０、およびベースボデー２７０を互いに連結する構成としている。
【０１５５】
ところで、ノズル形成部２２２とミドルボデー２３０とを互いに連結する構成とすると、ノズル形成部２２２とミドルボデー２３０との間で意図しない熱移動が生じ易くなってしまう。このような熱移動は、ノズル通路２２４を流れる冷媒の減圧沸騰や、感温部２５２における吸引冷媒の温度の検知精度等に悪影響となってしまうことが懸念される。
【０１５６】
そこで、本実施形態では、図１３に示すように、ミドルボデー２３０のうち、ノズル形成部２２２のフランジ部２２２ｄと当接する当接部位２３０ｆを金属で構成し、それ以外の部位をノズル形成部２２２およびベースボデー２７０よりも熱伝導率の低い樹脂で構成している。また、本実施形態では、ミドルボデー２３０における当接部位２３０ｆに第１締結部材２２５の第１締結受部２３０ｇを形成している。
【０１５７】
その他の構成は、第１実施形態と同様である。本実施形態の構成によれば、第１実施形態で説明した効果に加えて次の効果を奏する。すなわち、本実施形態では、ミドルボデー２３０の一部をノズル形成部２２２よりも熱伝導率が低い材料で構成している。これによれば、ノズル形成部２２２とミドルボデー２３０との間における熱移動に起因して生ずるノズル通路２２４を流れる冷媒の減圧沸騰等への影響を抑えることができる。
【０１５８】
ここで、本実施形態では、ミドルボデー２３０のうち、ノズル形成部２２２のフランジ部２２２ｄと当接する当接部位２３０ｆを金属で構成しているが、これに限らず、ノズル形成部２２２よりも熱伝導率の低い材料（例えば、樹脂）で構成してもよい。
【０１５９】
また、本実施形態では、ミドルボデー２３０のうち、ベースボデー２７０と当接する当接部位を樹脂で構成しているが、これに限らず、例えば、ミドルボデー２３０のうち、ベースボデー２７０と当接する当接部位を金属で構成してもよい。この場合、当接部位に対して、第２締結部材２７４の第２締結受部２３０ｅを形成すればよい。
【０１６０】
（第３実施形態）
次に、第３実施形態について、図１４〜図１６を参照して説明する。本実施形態では、各締結部材２２５、２７４を同じ方向から挿入連結する構成としている点が第１実施形態と相違している。
【０１６１】
図１４に示すように、本実施形態では、ミドルボデー２３０におけるベースボデー２７０の基板部２７１に当接する部位に対して、第２締結部材２７４を挿入する複数の挿入穴２３０ｈを形成している。
【０１６２】
さらに、本実施形態では、ベースボデー２７０の基板部２７１におけるミドルボデー２３０の各挿入穴２３０ｈに対応する部位に、第２締結部材２７４の第２締結受部２７１ｂを形成している。この第２締結受部２７１ｅには、第２締結部材２７４のネジ山に対応するネジ溝が形成されている。なお、本実施形態では、第２締結部材２７４をボルトで構成しているが、これに限らず、例えば、リベットやピンで構成してもよい。
【０１６３】
そして、本実施形態のベースボデー２７０およびミドルボデー２３０は、別部材として構成されている。そして、ベースボデー２７０およびミドルボデー２３０は、昇圧用空間２３２の中心軸と弁部材の中心軸とが同軸となるように位置決めされた状態で、第２締結部材２７４により互いに連結されている。
【０１６４】
また、本実施形態では、ミドルボデー２３０ではなく、ノズルボデー２２０の旋回形成部２２１に、駆動機構２５０を保持する保持部２２１ａを設ける構成としている。本実施形態の保持部２２１ａは、駆動機構２５０の外周形状に適合する内周面を有する筒状の部位で構成されている。その他の構成は、第１実施形態と同様である。
【０１６５】
次に、本実施形態のエジェクタ１００の製造方法について説明する。まず、エジェクタ１００を構成するハウジングボデー２１０、ノズルボデー２２０、ミドルボデー２３０、弁部材２４０、駆動機構２５０、ベースボデー２７０等の各構成部品を用意する（用意工程）。そして、用意工程で各構成部品を用意した後、ノズル形成部２２２とミドルボデー２３０とを連結する（第１連結工程）。また、用意工程で用意したベースボデー２７０の弁支持部２７２に対して弁部材２４０のシャフト２４２を挿入して、弁部材２４０をベースボデー２７０にて支持する（弁支持工程）。
【０１６６】
続いて、ノズル形成部２２２が連結されたミドルボデー２３０とベースボデー２７０とを連結する（第２連結工程）。具体的には、第２連結工程では、図１５に示すように、ミドルボデー２３０とベースボデー２７０との相対的な位置を、減圧用空間２２０ｂの中心軸Ｃｓ１、昇圧用空間２３２の中心軸Ｃｓ２、弁部材２４０の中心軸Ｃｓ３が同軸となるように位置決めする。
【０１６７】
そして、図１６に示すように、ミドルボデー２３０とベースボデー２７０とを第２締結部材２７４により締結して連結する。本実施形態では、第２締結部材２７４をミドルボデー２３０側からベースボデー２７０側に向かって挿入連結する構成としている。すなわち、本実施形態では、各締結部材２２５、２７４を同じ方向から挿入連結する構成となっている。
【０１６８】
続いて、旋回形成部２２１の保持部２３０ｂに対して駆動機構２５０を取り付けて保持する（保持工程）。そして、駆動機構２５０を取り付けた旋回形成部２２１をノズル形成部２２２に組み付ける（組付工程）。さらに、組付工程で組み付けた組付体を圧入や溶接等によりハウジングボデー２１０に収容固定する（収容工程）。
【０１６９】
本実施形態のエジェクタ１００は、上述した各工程により図１４に示す構造となるように製造される。そして、上述した各工程により製造したエジェクタ１００は、外観検査や動作確認等の各種検査工程を得て製造が完了する。
【０１７０】
以上説明した本実施形態では、各締結部材２２５、２７４を同じ方向から挿入連結する構成としているため、第１実施形態で説明した効果に加えて、組み付け性の向上を図ることができる。
【０１７１】
（他の実施形態）
以上、本発明の実施形態について説明したが、本発明は上述の実施形態に限定されるものではなく、特許請求の範囲に記載した範囲内において適宜変更が可能である。例えば、以下のように種々変形可能である。
【０１７２】
（１）上述の各実施形態では、ノズルボデー２２０、ミドルボデー２３０、およびベースボデー２７０を、ハウジングボデー２１０と別部材として構成する例について説明したが、これに限定されない。ノズルボデー２２０、ミドルボデー２３０、およびベースボデー２７０が別部材で構成されていれば、ノズルボデー２２０、ミドルボデー２３０、およびベースボデー２７０の１つがハウジングボデー２１０と一体成形されていてもよい。
【０１７３】
（２）上述の各実施形態では、ノズルボデー２２０の旋回形成部２２１とノズル形成部２２２とを別部材として構成する例について説明したが、これに限定されない。例えば、ノズルボデー２２０の旋回形成部２２１とノズル形成部２２２とを１つの部材で構成してもよい。
【０１７４】
（３）上述の各実施形態では、弁部材２４０の通路形成部２４１として、軸方向の断面形状が二等辺三角形となるものを採用しているが、これに限定されない。通路形成部２４１は、例えば、軸方向の断面形状が、頂点を挟む二辺が内周側に凸となる形状や二辺が外周側に凸となる形状、あるいは断面形状が半円形状となるものを採用してもよい。
【０１７５】
（４）上述の各実施形態の如く、ダイヤフラム２５１の変位を適切に弁部材２４０へ伝達するためには、荷重伝達部材２５３を構成する作動棒２５３ａを３本配設することが望ましいが、これに限定されない。例えば、２本または４本以上の作動棒２５３ａによりダイヤフラム２５１の変位を弁部材２４０へ伝達する構成としてもよい。
【０１７６】
（５）上述の各実施形態で説明したように、ダイヤフラム２５１をゴム製の基材で構成するほうが望ましいが、これに限定されず、例えば、ステンレス等によりダイヤフラム２５１を構成してもよい。
【０１７７】
（６）上述の実施形態の如く、駆動機構２５０に付勢部材２５４や荷重調整部２５５を追加することが望ましいが、付勢部材２５４や荷重調整部２５５は必須ではなく、省略されていてもよい。
【０１７８】
（７）上述の実施形態の如く、エジェクタ１００の内部に気液分離空間２６０や貯液空間２６３を形成することが望ましいが、これに限らず、エジェクタ１００の外部に気液分離器や貯液器等を設けるようにしてもよい。
【０１７９】
（８）上述の実施形態では、ノズルボデー２２０に旋回空間２２０ａを形成する例について説明したが、これに限らず、ボデー２００の内部に旋回空間２２０ａを形成しなくてもよい。
【０１８０】
（９）上述の実施形態では、ボデー２００、弁部材２４０、駆動機構２５０等を構成する要素の殆どを金属材料で構成する例について説明したが、これに限定されない。耐圧性や耐熱性等が問題とならない範囲で、各構成要素を金属材料以外（例えば、樹脂）により構成してもよい。
【０１８１】
（１０）上述の各実施形態では、ノズル形成部２２２、ミドルボデー２３０、およびベースボデー２７０を、各締結部材２２５、２７４により互いに連結する構成としているが、これに限定されない。例えば、ノズル形成部２２２、ミドルボデー２３０、およびベースボデー２７０を溶接等により互いに連結する構成としてもよい。
【０１８２】
（１１）上述の実施形態では、放熱器１２としてサブクール型の凝縮器を採用する例について説明したが、これに限定されず、例えば、レシーバ１２２や過冷却部１２３が設けられていない放熱器を採用してもよい。
【０１８３】
（１２）上述の実施形態では、車両用空調装置の冷凍サイクル１０に本発明のエジェクタ１００を適用する例について説明したが、これに限定されない。例えば、据置型空調装置等に用いられるヒートポンプサイクルや、空調装置以外の熱機器に適用される冷凍サイクルに本発明のエジェクタ１００を適用してもよい。
【０１８４】
（１３）上述の実施形態において、実施形態を構成する要素は、特に必須であると明示した場合および原理的に明らかに必須であると考えられる場合等を除き、必ずしも必須のものではないことは言うまでもない。
【０１８５】
（１４）上述の実施形態において、実施形態の構成要素の個数、数値、量、範囲等の数値が言及されている場合、特に必須であると明示した場合および原理的に明らかに特定の数に限定される場合等を除き、その特定の数に限定されない。
【０１８６】
（１５）上述の実施形態において、構成要素等の形状、位置関係等に言及するときは、特に明示した場合および原理的に特定の形状、位置関係等に限定される場合等を除き、その形状、位置関係等に限定されない。
【符号の説明】
【０１８７】
１００        エジェクタ
２００        ボデー
２２０ｂ      減圧用空間
２２２        ノズル形成部（第１空間形成部位）
２３０        ミドルボデー（第２空間形成部位）
２３１ｃ      吸引用通路
２３２        昇圧用空間
２３２ａ      ディフューザ通路
２５０        駆動機構
２７０        ベースボデー（弁支持部位）
【図１】
2017053299.tif 000003
【図２】
2017053299.tif 000004
【図３】
2017053299.tif 000005
【図４】
2017053299.tif 000006
【図５】
2017053299.tif 000007
【図６】
2017053299.tif 000008
【図７】
2017053299.tif 000009
【図８】
2017053299.tif 000010
【図９】
2017053299.tif 000011
【図１０】
2017053299.tif 000012
【図１１】
2017053299.tif 000013
【図１２】
2017053299.tif 000014
【図１３】
2017053299.tif 000015
【図１４】
2017053299.tif 000016
【図１５】
2017053299.tif 000017
【図１６】
2017053299.tif 000018
【図１７】
2017053299.tif 000019
【図１８】
2017053299.tif 000020